(57)【要約】【課題】  水洗トイレで流すことができるペット用トイレシートを提案する。【解決手段】  ペット用トイレシート（１０）は、複数層に重ねた水溶性の吸水紙からなる吸水紙層（１０１）と、該吸水紙層の上に設置され、吸水性の粉砕パルプ及び水溶性ポリマーの混合層（１０３）と、吸水紙層の下から混合層を覆うステープル・レーヨン綿層（１０５）と、ステープル・レーヨン綿層の下部から横まで設置され水溶性で一時的な耐水性を有する水溶性防水フィルム（１０７）と、吸水紙層、混合層、ステープル・レーヨン綿層及び水溶性防水フィルムを収納するように全体を覆う水溶性覆いシート（１０９）と、を備える。そして、ペット用トイレシートには非水溶性の素材が使われていない。【選択図】  図１
2015119654.tif 000002
【特許請求の範囲】
【請求項１】
複数層に重ねた水溶性の吸水紙からなる吸水紙層と、
該吸水紙層の上に設置され、吸水性の粉砕パルプ及び水溶性ポリマーの混合層と、
前記吸水紙層の下から前記混合層を覆うステープル・レーヨン綿層と、
前記ステープル・レーヨン綿層の下部から横まで設置され、水溶性で一時的な耐水性を有する水溶性防水フィルムと、
前記吸水紙層、前記混合層、前記ステープル・レーヨン綿層及び前記水溶性防水フィルムを収納するように全体を覆う水溶性覆いシートと、を備え、
非水溶性の素材が使われていないペット用トイレシート。
【請求項２】
前記ペット用トイレシートは、平面視した場合に、外周辺を有しており、
前記水溶性覆いシートの前記外周辺に切れ込んだ第１切込み部と該第１切れ込み部から伸びて前記ペット用トイレシートを切断しやすくするミシン目とが形成されている請求項１に記載のペット用トイレシート。
【請求項３】
前記水溶性覆いシートは、上面の覆いシートと下面の覆いシートとからなり、前記上面の覆いシートと前記下面の覆いシートとの辺が接着剤で接着されており、
前記ミシン目は、前記上面の覆いシートに形成されるとともに前記下面の覆いシートに形成され、平面視した場合に、互いのミシン目がずれている請求項２に記載のペット用トイレシート。
【請求項４】
前記ペット用トイレシートは、ペットを誘引する誘引物質を備え、
前記水溶性覆いシートは、前記誘引物質を覆う請求項１から請求項３のいずれか一項に記載のペット用トイレシート。
【請求項５】
請求項１から請求項４のいずれか一項に記載のペット用トイレシートが設置されるペット用トレイであって、
前記ペット用トイレシートの下面から漏れる液体を検出する漏液検出センサーを備えるペット用トレイ。
【発明の詳細な説明】
【技術分野】
【０００１】
本発明は、犬、猫又はウサギ等、小動物のペットの排泄物の処理に用いられるペット用トイレシートに関する。またペット用トイレシートを設置するためのペット用トレイに関する。
【背景技術】
【０００２】
犬、猫又はウサギ等のペットを飼育する飼い主が増えている。室内飼育時及び散歩時にこれらペットの排泄物を容易に処理できるように、ペット用トイレシートが使用されている。使用後のペット用トイレシートを廃棄処分する際に、飼い主の手がペットの排泄物に触れないように簡単に処理できるペット用トイレシートとして、特許文献１のペット用トイレシートが提案されている。
【先行技術文献】
【特許文献】
【０００３】
【特許文献１】特開２０１３−１１１０４８号公報
【発明の概要】
【発明が解決しようとする課題】
【０００４】
しかし、特許文献１が提案するペット用トイレシートは、飼い主の自宅に持ち帰ってから処理することまでしか考慮されていない。糞を取り込んだシートを自宅に持ち帰った飼い主は、糞をトイレに流し、糞で汚れたシートを可燃ゴミとして出さなければならない。その際に飼い主の手が汚れたりする。また、室内で飼育されているペットに対して、飼い主はペット用トイレシートを室内に設置している。糞が排泄されたペット用トイレシートも、糞をトイレに流し、糞で汚れたシートを可燃物ゴミとして出している。その際にも飼い主の手が汚れたりする。排泄物が尿だけであれば、飼い主は尿で湿ったシートを可燃ゴミとして出している。
【０００５】
糞で汚れた又は尿で湿ったペット用トイレシートを、可燃ゴミとして室内において置いてその匂いが室内に漂う。そのため、糞で汚れた又は尿で湿ったペット用トイレシートを、そのまま水洗トイレで流すことができれば、面倒な作業が減りさらに飼い主の手が汚れることもない。
【課題を解決するための手段】
【０００６】
そこで、水洗トイレで流すことができるペット用トイレシートを提案する。
第１の観点のペット用トイレシートは、複数層に重ねた水溶性の吸水紙からなる吸水紙層と、該吸水紙層の上に設置され、吸水性の粉砕パルプ及び水溶性ポリマーの混合層と、吸水紙層の下から混合層を覆うステープル・レーヨン綿層と、ステープル・レーヨン綿層の下部から横まで設置され、水溶性で一時的な耐水性を有する水溶性防水フィルムと、
吸水紙層、混合層、ステープル・レーヨン綿層及び水溶性防水フィルムを収納するように全体を覆う水溶性覆いシートと、を備える。そして、ペット用トイレシートには非水溶性の素材が使われていない。
【０００７】
第２の観点のペット用トイレシートは、平面視した場合に外周辺を有しており、水溶性覆いシートの外周辺に切れ込んだ第１切込み部と該第１切れ込み部から伸びてペット用トイレシートを切断しやすくするミシン目とが形成されている。
第３の観点のペット用トイレシートにおいて、水溶性覆いシートは、上面の覆いシートと下面の覆いシートとからなり、上面の覆いシートと下面の覆いシートとの辺が接着剤で接着されており、ミシン目は、上面の覆いシートに形成されるとともに下面の覆いシートに形成され、互いのミシン目が、平面視した場合にずれている。
【０００８】
第４の観点のペット用トイレシートは、ペットを誘引する誘引物質を備えており、水溶性覆いシートは、誘引物質を覆う。
上記第１から第４の観点のペット用トイレシートが設置されるペット用トレイであって、
ペット用トイレシートの下面から漏れる液体を検出する漏液検出センサーを備える。
【発明の効果】
【０００９】
ペットがペット用トイレシートに糞又は尿を排泄した後、飼い主は、ペット用トイレシートを水洗トイレまで運搬して、ペット用トイレシートと排泄物とを同時に水洗トイレに流し捨てることができる。このため、飼い主は、ペットの排泄物を簡単且つ衛生的に処理できる。
【図面の簡単な説明】
【００１０】
【図１】ペットのペット用トイレシート１０がペット用トレイ２０の上に設置された斜視図である。
【図２】ペット用トレイ２０の斜視図である。
【図３】ペット用トイレシート１０の平面図である。
【図４】図３に描かれたペット用トイレシート１０のＡ−Ａ断面図である。
【発明を実施するための最良の形態】
【００１１】
以下、図面を参照しながら本実施形態を説明する。図１は、本実施形態のペットのペット用トイレシート１０がペット用トレイ２０の上に設置された斜視図である。
【００１２】
ペット用トイレシート１０は例えば、４０ｃｍ×５５ｃｍの長方形の水溶性シートであり、ペット用トレイ２０は４５ｃｍ×６０ｃｍの長方形のプラスチック性のトレイである。ペット用トレイ２０は、そのロックバー２２を使ってペット用トイレシート１０を着脱可能に固定する。
【００１３】
ペット用トイレシート１０とペット用トレイ２０のサイズ又は形状は適宜変更することができる。ペット用トイレシート１０は、糞をその上に載せた状態で運搬できるように、少なくとも２０ｃｍ×２０ｃｍ以上の大きさであることが望ましい。また、ペットの大きさに応じて、ペット用トイレシート１０の大きさを３０ｃｍ×４５ｃｍにしてもよい。ペット用トイレシート１０の形状は、正方形、円形、楕円形、三角形などの多角形であってもよい。
【００１４】
ペット用トイレシート１０の上でペットが糞を排泄したときには、飼い主は、ロックバー２２を外してペット用トイレシート１０をペット用トレイ２０から剥がす。そして飼い主は、糞を載せた状態でペット用トイレシート１０を水洗トイレまで運搬し、そのまま水洗トイレに流すことができる。ペット用トイレシート１０の上でペットが排尿したときには、飼い主は、ロックバー２２を外してペット用トイレシート１０をペット用トレイ２０から剥がし、尿で濡れたペット用トイレシート１０を水洗トイレまで運搬し、そのまま水洗トイレに流すことができる。
【００１５】
ペット用トイレシート１０は、水溶性であるが、後述するように一定時間内であれば、糞の水分を吸収し又は尿を吸収しペット用トレイ２０の表面まで尿を漏らさない。そのため、飼い主は、基本的にペット用トレイ２０の表面が尿などの液体で濡れることがないため、ペットが排泄物を排泄する毎に、ペット用トレイ２０の表面を掃除する必要がない。飼い主は、使用済みのペット用トイレシート１０を水洗トイレに流した後、新たなペット用トイレシート１０をロックバー２２で再度固定する。
【００１６】
本実施形態のペット用トイレシート１０は、糞などの固形の排泄物及び尿などの液体の排泄物を、ペット用トイレシート１０とともに水洗トイレで処理できるため、衛生的に排泄物を処理できる。また、飼い主は手を汚すことが無い。さらに、従来のように可燃ゴミとしてトイレシートを室内においておく必要もないので、糞又は尿の匂いが室内に漂うこともない。
【００１７】
なお、本実施形態では、ペットのペット用トイレシート１０が室内でペット用トレイ２０の上に設置された例を示した。しかし、飼い主は、ペットの散歩で野外に出る際に、ペット用トイレシート１０のみを持参して、ペット用トイレシート１０を排泄物の処理に使用することができる。例えば、飼い主は、乾いた地面にペット用トイレシート１０をそのまま地面に置くようにして利用することができる。散歩の場合にはペット用トレイ２０は不要である。
【００１８】
図２は、ペット用トレイ２０の斜視図である。ペット用トレイ２０は、ポリプロピレン又はＡＢＳ樹脂などのプラスチック材料で作られている。
【００１９】
ペット用トイレシート１０は、水溶性で不溶性の防漏シートなどを使用していない。このため、特にペットの尿が多く且つ長時間放置したままの場合には、尿などの液体がペット用トイレシート１０の下面から漏れ出てペット用トレイ２０の表面が濡れてしまう場合もある。このまま放置しておくとペット用トイレシート１０が溶け始めて、ペット用トイレシート１０を運搬しようとするとペット用トイレシート１０が破れてしまうことがある。濡れたまま放置することがないように、ペット用トレイ２０の中央表面に、漏液検出センサー２４が設置されている。
【００２０】
漏液検出センサー２４は、２本の配線からなり漏れた液体によってその２本の配線間が導通することで漏液を検出したり、抵抗値の変動で漏液を検出したりする。本実施形態では、漏液検出センサー２４は２本の配線からなり、ペット用トレイ２０の中央表面に一箇所設置されているが、また中央表面以外の場所に配置されてもよい。また漏液検出センサー２４はペット用トレイ２０の表面の各所に複数配置されていてもよい。本実施形態では、安価な漏液検出センサーを利用したが、高精度なレーザを使った漏液検出センサーであってもよい。漏液を検出したらその信号がペット用トレイ２０内又はその近傍に設置された電子ブザー２６に送られる。図２ではペット用トレイ２０の枠部に電子ブザー２６が設置されている。電子ブザー２６の発信音は、ブザー音だけではなく、メロディ音などであってもよい。そして漏液検出センサー２４からの信号により、電子ブザー２６が漏液を飼い主に知らせる。飼い主は、ペット用トイレシート１０が破れやすくなる前にペット用トイレシート１０を水洗トイレまで運搬して、水洗トイレでペット用トイレシート１０を流すことができる。また電子ブザー２６などの音ではなく、ＬＥＤを点灯させたりして光によって漏液を飼い主に知らせてもよい。
【００２１】
（ペット用トイレシートの構造）
図３は、ペット用トイレシート１０の平面図である。図４はペット用トイレシート１０の断面図である。図４では、ペット用トイレシート１０は厚み方向に誇張して描かれているが、実際にはほぼ一様な厚みを持つ薄いシート状である。
【００２２】
ペット用トイレシート１０は、糞又は尿など排泄物が付いた後に、ペット用トレイ２０から取り外される。そして、ペット用トイレシート１０は、排泄物とともにそのまま水洗トイレに廃棄される。ペット用トイレシート１０は後述するように、すべて水溶性素材でできており、非水溶性素材は使用されていない。
【００２３】
図３で示された、ペット用トイレシート１０の平面形状は、一対の辺１５と一対の辺１６とを有する長方形型である。辺１５及び辺１６とは、後述する上下面の覆いシート１０９同士（図４を参照）を接着剤で接着された部分であり、ペット用トイレシート１０の外周辺になる。
【００２４】
ペット用トイレシートの一方の辺１５（＋Ｙ軸方向側）には切り込み部１１が２箇所形成され、他方の辺１５（−Ｙ軸方向側）にも切り込み部１１が２箇所形成されている。そして、一方の切り込み部１１から他方の切り込み部１１までミシン目１３が形成されている。同様に、ペット用トイレシートの一対の辺（Ｚ軸方向側）には切り込み部１２がそれぞれ２箇所形成されている。そして、一方の切り込み部１２から他方の切り込み部１２までミシン目１４が形成されている。なお、切り込み部１１，切り込み部１２、ミシン目１３及びミシン目１４は、後述する覆いシート１０９に形成されていればよい。
【００２５】
切り込み部１１，切り込み部１２、ミシン目１３及びミシン目１４は、ペット用トイレシート１０の使用後に、ペット用トイレシート１０を細かく分割できるようにするためである。ペット用トイレシート１０は、すべて水溶性の素材からなる。排泄物が尿である場合には、切り込み部１１，１２及びミシン目１３，１４を使って、９分割する。これにより、分割された１つのペット用トイレシート１０は、１０〜１５ｃｍ×１０〜１５ｃｍの大きさになる。このため、ペット用トイレシート１０は、適度な量で水洗トイレを詰まらせること無く流すことができる。排泄物が糞である場合には、糞を水洗トイレに入れた後、切り込み部１１，１２及びミシン目１３，１４を使って、９分割する。これにより、ペット用トイレシート１０及び糞を、水洗トイレで流すことができる。細かく分割できることで、水洗トイレを使用するため、使用者は物理的にも心理的にも安心できる。
【００２６】
図３では、切り込み部１１が上下２箇所，切り込み部１２が左右２箇所に設け、ペット用トイレシート１０を９分割に分けることができるようにした。しかし、切り込み部１１又は切り込み部１２の一方だけ設けて、３分割にできるようにしてもよいし、切り込み部１１又は切り込み部１２の数を増やして、ペット用トイレシート１０を１６分割、２５分割などにできるようにしてもよい。また、ペット用トイレシート１０の形状が、円形又は楕円形であっても、分割されたシートが１００〜３００ｃｍ２の面積になれば、分割されたシートを水洗トイレで流しても、水洗トイレが詰まるようなことはない。
【００２７】
図４は、図３に描かれたペット用トイレシート１０のＡ−Ａ断面図である。ペット用トイレシート１０は複数の水溶性素材からなり、複数の素材が何層にも重ねあわせた構造を有している。ペット用トイレシート１０は機能的に表裏があり、＋Ｘ軸側が表面であり、−Ｘ軸側が裏面である。
【００２８】
まず、ペット用トイレシート１０は４層から８層に重ねあわせた吸水紙層１０１を有する。まず吸水紙層１０１は、Ｙ軸方向に溝ができるように凹凸加工（エンボス加工）されている。吸水紙層１０１まで浸透した尿などの排泄物は、毛管現象によりＹ軸方向に広がるとともに給水する。
【００２９】
吸水紙層１０１の上（＋Ｘ軸方向）に、粉砕パルプ及び吸水性ポリマーの混合層１０３が設置される。具体的には粉砕パルプとして例えば植物でん粉などのセルロース系のパルプがある。天然生成されたセルロース系のパルプとして、再生材料、紙、木材、茎、有機繊維、ココモス、ピートモス、ジュート、植物外皮、アルファルファ、樹皮、おがくず、果実剥皮、チップ、ストランド、パルプ、とうもろこし及び小麦などがある。また吸水ポリマーとして、ポリアクリル酸系水溶性ポリマーなどがある。
【００３０】
これら吸水紙層１０１及び混合層１０３は、ステープル・レーヨン綿層１０５で全体が覆われるように巻かれる。つまり吸水紙層１０１の下（−Ｘ軸方向）及び混合層１０３の上（＋Ｘ軸方向）、これらの横方向（±Ｙ軸方向）がステープル・レーヨン綿層１０５で覆われる。ステープル・レーヨン綿層１０５は、吸水性以外に、吸水紙層１０１と混合層１０３とが横ずれ（Ｘ，Ｙ，Ｚ軸方向）したりしないよう設けられている。ここでステープル・レーヨン綿とは、後述するレーヨン綿床と比較して短い繊維長のレーヨン綿をいう。ステープル・レーヨン綿は、吸水性に優れ且つ水溶性である。
【００３１】
このステープル・レーヨン綿層１０５の下（−Ｘ軸方向）には、ＹＺ面に広がる防水フィルム１０７が設置される。尿などの排泄物が多い場合に、すぐにペット用トイレシート１０から漏れ出ないようにするためである。防水フィルム１０７は水溶性であるため、この防水フィルム１０７の防水機能は一時的である。具体的には防水フィルム１０７は、親水性が非常に強く、温水に可溶というポリビニルアルコール (polyvinyl alcohol, PVA)フィルムである。防水フィルム１０７の防水の持続時間は、フィルム厚さや尿の量にもよるが、１５分から９０分程度すると、ペット用トイレシート１０の両辺を手で持ち上がると一部が破れてしまう程度である。
【００３２】
覆いシート１０９が、吸水紙層１０１、混合層１０３、ステープル・レーヨン綿層１０５及び防水フィルム１０７を上下から覆う。覆いシート１０９は、立体ギャザーを形成する湿式不織布が使われる。また覆いシート１０９の素材はレーヨン綿床であり水溶性である。上下の覆いシート１０９の辺１５は、水溶性の例えばカルボキシメチルセルロース、ポリビニルアルコール、アルギン酸ナトリウム、デンプン系接着剤で接着されている。図３に示された辺１６も同様に水溶性の接着剤で接着されている。覆いシート１０９の辺１５、１６に切り込み部１１，１２がそれぞれ形成される。吸水紙層１０１、混合層１０３、ステープル・レーヨン綿層１０５及び防水フィルム１０７が外に出ないように、接着剤で接着された辺１５，１６を越えて切り込み部１１，１２は、形成されない。
【００３３】
ペット用トイレシート１０は、上述したように機能的に表裏があるため、飼い主がペット用トイレシート１０をペット用トレイ２０に設置する際に、表裏を間違えないように、表面と裏面とを区別できるようにすることが好ましい。例えば、裏面（−Ｘ軸方向）には「こちらの面をトレイに設置してください。」と注意書きを記載したり、表面（＋Ｘ軸方向）に華やかな絵を描いたりしたりすることが好ましい。また、吸水紙層１０１、混合層１０３、ステープル・レーヨン綿層１０５及び覆いシート１０９のそれぞれ繊維は、容易に繊維同士が水で分散しやすいように、繊維長（平均繊維長）は２０ｍｍ以下であることが好ましい。また繊維長が短いことで、飼い主は、上下の覆いシート１０９のミシン目１３及びミシン目１４で、ペット用トイレシート１０を複数に分割することができる。
【００３４】
図４に描かれるように、上面の覆いシート１０９のミシン目１４と下面の覆いシート１０９のミシン目１４とは、Ｘ軸方向から平面視した場合に、ΔＹずれていてもよい。図示しないが、同様に、上面の覆いシート１０９のミシン目１３と下面の覆いシート１０９のミシン目１３とが、Ｘ軸方向から平面視した場合に、ΔＺずれていてもよい。特にミシン目の孔が大きい場合、上下面のミシン目１３及びミシン目１４が、Ｘ軸方向から重なっていると、ペットの尿がミシン目の孔に入り込んで、ペット用トイレシート１０の下面に出てくることを防ぐためである。
【００３５】
（ペット用トイレシートに付けるペット誘引物質）
一般に、飼い主はペットのトイレのしつけが得意でなく、低年齢のペットのトイレのしつけのために多くの時間を費やしていたり、ペットトレーナにトイレのしつけを委託することがある。また高年齢のペットだとトイレがうまくできなくなるため、リラックスした状態でトイレができる状態にすることが好ましい。ペットが排泄をする場所としてペットに記憶させるため、又はリラックスして排泄できる場所であると記憶させるため、ペット用トイレシート１０は、ペット誘引物質を内蔵してもよい。
【００３６】
ペット用トイレシート１０の任意の層（吸水紙層１０１、混合層１０３、ステープル・レーヨン綿層１０５及び防水フィルム１０７）において、１つ又は複数のペット誘引物質を含むものとすることができる。例えば、誘引物質は、植物抽出物又は植物系材料、フェロモン、又は尿／糞の物質中の他のマーカ化合物とすることができる。
【００３７】
マーカ化合物の例として、フェノール、トリメチルピラジン、ジメチルスルホン、インドール、３−メチル−２−ブテン−１−オール、３−メルカプト−３−メチル−１−ブタノール、α−バレロラクタム、ピラジン、メチルピラジン、２，６−ジメチルピラジン、１−メチルヒダントイン及びフェニルアセトアミドが含まれる。またペットがネコである場合には、ネコの誘引物質として、アクチニジン、ネペタラクトン、アクチニジン、ボシュニアキンなどがある。
【００３８】
さらに、ペット誘引物質以外に、尿又は糞などに含まれる雑菌を殺す殺菌物質を加えても良い。この殺菌物質は、例えばベンザルコニウム塩、塩化ベンゼトニウム、メチルイソプロピルフェノールなどから選ばれたいずれか１種以上の物質である。さらに、ペット誘引物質以外に、消臭効果がある物質を加えてもよい。消臭物質は、各種悪臭成分を分解する機能を有するものであり、例えばカテキン、タンニン、フラボノイド、ポリフェノール、あるいは月桂樹製油、セージ製油、しょうが製油、ペパーミント精油などから選ばれたいずれか１種以上の物質である。
【００３９】
現在、一般的に使用されているペット用トイレシートには、必ず中に吸収体及びモレ防止のプラスチックフィルムが入っている。プラスチックは化学繊維であるため、使用後は生ごみとして回収し、焼却所等で焼き捨てることとなる。また焼却処分することは、大気汚染にも大きな影響を与えているとともに、後処理のコスト及び負荷が大きい。また、これまでのペット用トイレシートは、水洗トイレで流せないため、糞などの排泄物を水洗トイレで流した後、ペット用トイレシートを可燃物ゴミとして処理せざるをえなかった。
【００４０】
一方、本実施形態のペット用トイレシート１０は、水洗トイレで分解可能であり、焼却の必要もないので環境汚染を回避することができる。また、ペット用トイレシート１０は、排泄物とともに水洗トイレで流すことができるため、処理する手間が少なくて済む。
【符号の説明】
【００４１】
１０  …  ペット用トイレシート
１１，１２  …  切り込み部
１３，１４  …  ミシン目
１５，１６  …  辺
１０１  …  吸水紙層
１０３  …  混合層
１０５  …  ステープル・レーヨン綿層
１０７  …  防水フィルム
１０９  …  覆いシート
２０  …  ペット用トレイ
２２  …  ロックバー
２４  …  漏液検出センサー
２６  …  電子ブザー
【図１】
2015119654.tif 000003
【図２】
2015119654.tif 000004
【図３】
2015119654.tif 000005
【図４】
2015119654.tif 000006